(57)【要約】【課題】  ハンカチをナプキンとして使用する際に、快く用いることのできるハンカチを提供する。【解決手段】  スリット１５Ａが設けられていることにより、領域１３Ａ，１３Ｂのそれぞれを折り返すことで、Ｖ字形状領域を形成することができる。これにより、このＶ字形状領域を襟元に当てることで、ハンカチ１のこのＶ字形状領域が、外観上あたかも衣服の襟のように見ることができ、ハンカチ１をナプキンとして使用する際に、今まで感じていたような違和感をなくすことが可能となる。【選択図】        図３
2006169663.tif 000002
【特許請求の範囲】
【請求項１】
布状部材であって、
縁部から中心に向かって延びるスリット(15A,15B)と、
前記スリット(15A,15B)により分け隔てられたそれぞれ縁部の近傍領域に設けられ、前記スリット(15A,15B)により分け隔てられたそれぞれの縁部領域を相互に係合させるための係合手段(16a,16b,16c,16d)と、
を備える、布状部材。
【請求項２】
当該布状部材は、外形形状が四角形からなる布状部材であって、
前記スリット(15A,15B)は、選択された一辺の略中央領域から中心に向かって延び、
前記係合手段(16a,16b,16c,16d)は、前記スリット(15A,15B)により分け隔てられたそれぞれの領域を相互に係合させるため、前記スリット(15A,15B)により分け隔てられた前記一辺の近傍領域にそれぞれ設けられる、請求項１に記載の布状部材。
【請求項３】
前記係合手段(16a,16b,16c,16d)は、
前記一辺を含む２つのコーナー部と前記一辺の前記スリットの両側の領域とにそれぞれに設けられる、請求項１に記載の布状部材。
【請求項４】
前記スリット(15B)により隔てられた当該布状部材の端部は凹凸に形成されている、請求項１または２に記載の布状部材。
【請求項５】
前記係合手段(16a,16b,16c,16d)に対して着脱可能に連結される帯状部材(17)をさらに有する、請求項１から３のいずれかに記載の布状部材。
【請求項６】
布状部材であって、
当該布状部材を二分するように、選択された縁部位置から対向する縁部位置にまで延びる連結領域(15C)が設けられ、
前記連結領域(15C)は、両側の部位がファスナにより連続して着脱可能に設けられ、
前記連結領域(15C)により分け隔てられたそれぞれの領域には、前記スリット(15A,15B)により分け隔てられたそれぞれの領域を相互に係合させるための係合手段(16a,16b,16c,16d)が設けられる、布状部材。
【請求項７】
当該布状部材はハンカチである、請求項１から６に記載の布状部材。
【発明の詳細な説明】
【技術分野】
【０００１】
この発明は、布状部材に関し、ハンカチ、ナプキン、エプロン、ヘアーカバー等の様々な用途を備える布状部材に関する。
【背景技術】
【０００２】
パスタ、麺類、刺身のけん等、食事をする際にスープや汁が衣服に付着しないようにするために、ハンカチをナプキン（よだれかけ）として襟元に当てて食事を行なうことにより、衣服の汚れを防止する場合がある。ここで、ハンカチは、無意識にポケット、バッグ等に入れて持ち運びするものであるため、上述するように、食事の際に簡便に用いることができる。
【０００３】
しかし、ハンカチを襟元に当てた場合には、通常、ハンカチのコーナー部分を襟元の中に収容させるようにして、ハンカチを襟元に固定していることから、縦方向に皺がり、また、衣服との整合性が合っていないことが多く、ハンカチを襟元に当てることに対して抵抗を感じることから、ハンカチをナプキンとして襟元にあてることに対して消極的となり、また、第三者に対して、不快感を与える場合もあった。
【０００４】
下記特許文献１に開示されるハンカチは、ナプキンとして用いるために、１つのコーナー部の近傍領域において、ハンカチの対角線に対して直角方向に延びる１対の切り込みを入れる構成が採用されている。これにより、ハンカチのコーナー部を襟元に折り込むことを可能とし、ハンカチの襟元への固定を確実なものとしている。しかし、このハンカチであっても、上述した課題は何ら解決されない。
【特許文献１】特開平３−２３５７１２号公報
【発明の開示】
【発明が解決しようとする課題】
【０００５】
この発明が解決しようとする課題は、ハンカチをナプキンとして使用する際に違和感をおぼえ、また、第三者に対して不快感を与えることにある。したがって、この発明の目的は、布状部材において、ハンカチ、ナプキン、エプロン、ヘアーカバー等として用いる場合に、快く用いることのできる布状部材を提供することにある。
【課題を解決するための手段】
【０００６】
この発明に基づいた布状部材の１つの局面においては、縁部から中心に向かって延びるスリットと、上記スリットにより分け隔てられたそれぞれ縁部の近傍領域に設けられ、上記スリットにより分け隔てられたそれぞれの縁部領域を相互に係合させるための係合手段とを備えている。
【０００７】
また、当該布状部材は、外形形状が四角形からなり、上記スリットは、選択された一辺の略中央領域から中心に向かって延び、上記係合手段は、上記スリットにより分け隔てられたそれぞれの領域を相互に係合させるため、上記スリットにより分け隔てられた上記一辺の近傍領域にそれぞれ設けられる。
【０００８】
また、上記布状部材において、上記係合手段は、上記一辺を含む２つのコーナー部と上記一辺の上記スリットの両側の領域とのそれぞれに設けられている。また、上記スリットにより隔てられた当該ハンカチの端部は凹凸に形成されている。また、上記係合手段に対して着脱可能に連結される帯状部材をさらに有している。
【０００９】
この発明に基づいた布状部材の他の局面においては、この布状部材を二分するように、選択された縁部位置から対向する縁部位置にまで延びる連結領域が設けられ、上記連結領域は、両側の部位がファスナにより連続して着脱可能に設けられ、上記連結領域により分け隔てられたそれぞれの領域には、上記スリットにより分け隔てられたそれぞれの領域を相互に係合させるための係合手段が設けられている。
【発明の効果】
【００１０】
この発明に基づいた布状部材によれば、縁部から中心に向かって延びるスリット、または、当該布状部材を二分する連結領域を設け、このスリットまたは連結領域により分け隔てられたそれぞれ領域を折り返すことで、Ｖ字形状領域を形成することが可能となる。これにより、このＶ字形状領域を襟元に当てることにより、布状部材のこのＶ字形状領域が、外観上あたかも衣服の襟のように見ることができ、布状部材を、ハンカチとしてでなくナプキンとして使用する際に、今まで感じていたような違和感がなくなる。また、下方に垂れ下がる部分には、縦方向に生じる皺が発生しない。これにより、第三者から見た場合であっても、襟元をスッキリさせ、不快感を与えることもない。さらに、スリット等により分け隔てられたそれぞれ領域には係合手段が設けられていることから、首の後に分け隔てられた領域を回して、係合手段により相互に係合させることで、使用者への固定も確実に行なうことができる。
【００１１】
また、Ｖ字形状領域を使用者の頭部に当接させ、スリット等により分け隔てられたそれぞれ領域を頭部の後ろ側に回すことで、使用者の耳を覆う形態のヘアーカバーとして用いることも可能としている。
【００１２】
さらに、別途用意される、係合手段に対して着脱可能に連結される帯状部材を用いることで、エプロンとして用いることも可能としている。
【発明を実施するための最良の形態】
【００１３】
以下、この発明に基づいた各実施の形態における布状部材について、図を参照しながら説明する。
【００１４】
（実施の形態１）
まず、図１から図４を参照して、実施の形態１における布状部材について説明する。なお、この布状部材の第１の使用目的は、ハンカチ１である。なお、図１および図２は、本実施の形態におけるハンカチ１の構造を示す平面図である。また、図３から図１１は、本実施の形態におけるハンカチ１の使用状態を示す図である。
【００１５】
図１および図２を参照して、本実施の形態におけるハンカチ１は、外形形状が四角形の布部材１０からなるハンカチであって、縁部から中心に向かって延びるスリット１５Ａと、スリット１５Ａにより分け隔てられた領域１３Ａ，１３Ｂのそれぞれ縁部の近傍領域に、スリット１５Ａにより分け隔てられたそれぞれの領域１３Ａ，１３Ｂの縁部領域を相互に係合させるための係合手段としての面ファスナ１６ａ，１６ｂ，１６ｃ，１６ｄが設けられている。
【００１６】
具体的に説明すると、上記スリット１５Ａは、四辺１１，１２，１３，１４の中から選択された一辺である上辺１３の略中央領域から中心に向かって延びるように設けられている。本実施の形態においては、スリット１５Ａの長さは、平行に位置する側辺１２，１４の長さの半分程度である。面ファスナ１６ａ，１６ｂ，１６ｃ，１６ｄは、スリット１５Ａにより分け隔てられた領域１３Ａ，１３Ｂのそれぞれの領域を相互に係合させるため、上辺１３の近傍領域にそれぞれ設けられ、本実施の形態においては、上辺１３を含む２つのコーナー部と、上辺１３のスリット１５Ａの両側とにそれぞれ設けられている。
また、面ファスナ１６ａ，１６ｂ，１６ｃ，１６ｄの取り付け面においては、スリット１５Ａの左側においては、紙面表面に対して裏面側に取り付けられ、スリット１５Ａの右側においては、紙面表面と同じ表面側に取り付けられている。なお、面ファスナは係合手段としての一例であり、一方にボタン、他方にこのボタンに係合する開口部を設ける構成、相互に嵌めあうスナップボタンその他の様々な係合構造を適用することが可能である。
【００１７】
（作用・効果）
上記構成よりなるハンカチ１においては、スリット１５Ａが設けられていることにより、図２に示すように、領域１３Ａ，１３Ｂのそれぞれを折り返すことで、Ｖ字形状領域を形成することができる。これにより、図３に示すように、このＶ字形状領域を襟元に当てることで、ハンカチ１のこのＶ字形状領域が、外観上あたかも衣服の襟のように見ることができ、ハンカチ１をナプキンとして使用する際に、今まで感じていたような違和感をなくすことが可能となる。また、下方に垂れ下がる部分には、縦方向に生じる皺が発生しない。これにより、第三者から見た場合であっても、襟元をスッキリさせ、不快感を与えることもない。さらに、スリット１５Ａにより分け隔てられたそれぞれの領域１３Ａ，１３Ｂには、面ファスナ１６ａ，１６ｂ，１６ｃ，１６ｄが設けられていることから、図４に示すように、使用者の首の後に領域１３Ａ，１３Ｂを回して、面ファスナ１６ａ，１６ｄを相互に係合させることで、使用者への固定も確実に行なうことができる。
【００１８】
なお、図５に示すように、スリット１５Ａを閉ざすように、面ファスナ１６ｂ，１６ｃを相互に係合させることで、通常のハンカチとして用いることができる。また、図６に示すように、両端部に係合手段としての面ファスナ１７ａ，１７ｂが設けられた帯状部材１７を準備し、この帯状部材１７の面ファスナ１７ａ，１７ｂと、ハンカチ１の１６ａ，１６ｄを相互に係合させることで、エプロンとしての用途を得ることもできる。
【００１９】
また、図７に示すように、ハンカチ１の四隅をＡ，Ｂ、Ｃ，Ｄとし、面ファスナ１６ｂ，１６ｃの位置をそれぞれＥ，Ｆとし、スリット１５Ａの底部位置をＧとし、このＧを通り底辺１１に平行な線と側辺１２，１４との交点位置をＨ，Ｉとした場合に、まず、領域１３Ａ，１３Ｂをそれぞれ奥側に折り畳みＶ字形状領域を形成した状態で、図９に示すように、Ｖ字形状領域の位置Ｇが、使用者の額に位置するように配置し、使用者の頭部後ろ側において、面ファスナ１６ａ，１６ｄのそれぞれを係合させて、ハンカチ１を使用者の頭部に固定する。その後、顔の全面に垂れ下がった部分を後側に捲り上げ、図１０および図１１に示すように、使用者の顔を露出させる。これにより、両図に示されるように、領域１３Ａ，１３Ｂによりそれぞれ使用者の頭部および耳が覆われる衛生的なヘアーカバーとして、ハンカチ１を用いることができる。
【００２０】
（実施の形態２）
次に、図１２から図１４を参照して、実施の形態２における布状部材について説明する。本実施の形態におても、この布状部材の第１の使用目的はハンカチである。なお、図１２は、本実施の形態におけるハンカチ２の構造を示す平面図である。また、図１３および図１４は、本実施の形態におけるハンカチ２の使用状態を示す図である。なお、上記実施の形態１におけるハンカチ１と同一または相当部分については、同一の参照番号を付し、重複する説明は繰リ返さないこととする。
【００２１】
本実施の形態におけるハンカチ２の基本的構造は、上記実施の形態１におけるハンカチ１と同じであり、相違点はスリットの形状にある。上記実施の形態１におけるハンカチ１の場合、スリット１５Ａは直線状に設けられていたが、本実施の形態におけるハンカチ２の場合、端面（切り口）が波状（凹凸形状）のスリット１５Ｂが設けられている。
【００２２】
（作用・効果）
このように、端面（切り口）が波状（凹凸形状）のスリット１５Ｂを採用したハンカチ２によれば、上記実施の形態１におけるハンカチ１と同様の作用効果を得ることができるとともに、図１３に示すようにナプキンとして使用した場合、および図１４に示すヘアーカバーとして使用した場合には、波状部分が見やすい部分に現れることから、デザイン上の美観を向上させることが可能となる。
【００２３】
（実施の形態３）
次に、図１５および図１６を参照して、実施の形態３における布状部材について説明する。本実施の形態におても、この布状部材の第１の使用目的はハンカチである。なお、図１５および図１６は、本実施の形態におけるハンカチ３の構造を示す平面図である。なお、上記実施の形態１におけるハンカチ１と同一または相当部分については、同一の参照番号を付し、重複する説明は繰リ返さないこととする。
【００２４】
本実施の形態におけるハンカチ３の基本的構造は、上記実施の形態１および２におけるハンカチ１および２と同じであり、相違点は、スリットの構造にある。上記実施の形態１および２におけるハンカチ１および２の場合、スリット１５Ａ，１５Ｂは縁部から中心領域にまで設けられていたが、本実施の形態におけるハンカチ３の場合、このハンカチ３を領域１０Ａと領域１０Ｂとに二分するように、選択された縁部位置としての上辺１３の中央部から対向する縁部位置としての下辺１１にまで延びる連結領域としてファスナ１５Ｃが設けられ、このファスナ１５Ｃにより連続して領域１０Ａと領域１０Ｂとが着脱可能に設けられている。
【００２５】
（作用・効果）
このように、ファスナ１５Ｃを図１６に示すように、中央部まで下げることにより、上記ハンカチ１および２と同様のスリットが形成される結果、上記実施の形態１および２におけるハンカチ１および２と同様の作用効果を得ることができる。また、領域１０Ａと領域１０Ｂとを完全に分離することができるため、領域１０Ａと領域１０Ｂとの色、柄、模様、その他の意匠を異ならせることにより、デザイン上の美観を向上させることが可能となる。
【００２６】
なお、上記各実施の形態においては、本発明に基づくハンカチを、ハンカチとしての用途以外に、ナプキン（よだれかけ）、エプロン、ヘアーカバーとしての用途を有する場合について説明しているが、着物のたもとカバーとして用いることも可能である。また、ハンカチとして四角形の場合を示しているが、多角形、円形等の形状を有するハンカチであっても、同様の作用効果を得ることが可能である。
【００２７】
また、布状部材として、第１の使用目的をハンカチとし、このハンカチの用途以外に様々な用途として用いる場合について説明しているが、本発明の布状部材の第１目的はハンカチに限定されるものではなく、本発明の本質は、布状部材において、縁部から中心に向かって延びるスリットと、このスリットにより分け隔てられたそれぞれ縁部の近傍領域に設けられ、このスリットにより分け隔てられたそれぞれの縁部領域を相互に係合させるための係合手段を備えている点にある。したがって、布状部材としては、ハンカチ以外に、風呂敷、さらし等が挙げられる。また、布状部材の材質としては、綿、絹、麻等の布部材以外に、薄い紙、薄い樹脂フィルム等も含まれるもである。
【００２８】
なお、今回開示した上記実施の形態はすべての点で例示であって、限定的な解釈の根拠となるものではない。したがって、本発明の技術的範囲は、上記した実施の形態のみによって解釈されるのではなく、特許請求の範囲の記載に基づいて画定される。また、特許請求の範囲と均等の意味および範囲内でのすべての変更が含まれる。
【図面の簡単な説明】
【００２９】
【図１】この発明に基づいた実施の形態１におけるハンカチの構造を示す第１平面図である。
【図２】この発明に基づいた実施の形態１におけるハンカチの構造を示す第２平面図である。
【図３】この発明に基づいた実施の形態１におけるハンカチの、ナプキンとしての使用状態を示す正面図である。
【図４】この発明に基づいた実施の形態１におけるハンカチの、ナプキンとしての使用状態を示す背面図である。
【図５】この発明に基づいた実施の形態１におけるハンカチの、ハンカチとしての使用状態を示す正面図である。
【図６】この発明に基づいた実施の形態１におけるハンカチの、エプロンとしての使用状態を示す斜視図である。
【図７】この発明に基づいた実施の形態１におけるハンカチの、ヘアーカバーとしての使用状態を示す第１の図である。
【図８】この発明に基づいた実施の形態１におけるハンカチの、ヘアーカバーとしての使用状態を示す第２の図である。
【図９】この発明に基づいた実施の形態１におけるハンカチの、ヘアーカバーとしての使用状態を示す第３の図である。
【図１０】この発明に基づいた実施の形態１におけるハンカチの、ヘアーカバーとしての使用状態を示す第４の図である。
【図１１】この発明に基づいた実施の形態１におけるハンカチの、ヘアーカバーとしての使用状態を示す第５の図である。
【図１２】この発明に基づいた実施の形態２におけるハンカチの構造を示す平面図である。
【図１３】この発明に基づいた実施の形態２におけるハンカチの、ナプキンとしての使用状態を示す正面図である。
【図１４】この発明に基づいた実施の形態２におけるハンカチの、ヘアーカバーとしての使用状態を示す図である。
【図１５】この発明に基づいた実施の形態３におけるハンカチの構造を示す第１平面図である。
【図１６】この発明に基づいた実施の形態３におけるハンカチの構造を示す第２平面図である。
【符号の説明】
【００３０】
１，２，３  ハンカチ、１０  布部材、１０Ａ，１０Ｂ  領域、１１  下辺、１２，１４  側辺、１３  上辺、１５Ａ，１５Ｂ，１５Ｃ  スリット、１３Ａ，１３Ｂ  領域、１６ａ，１６ｂ，１６ｃ，１６ｄ  面ファスナ。
【図１】
2006169663.tif 000003
【図２】
2006169663.tif 000004
【図３】
2006169663.tif 000005
【図４】
2006169663.tif 000006
【図５】
2006169663.tif 000007
【図６】
2006169663.tif 000008
【図７】
2006169663.tif 000009
【図８】
2006169663.tif 000010
【図９】
2006169663.tif 000011
【図１０】
2006169663.tif 000012
【図１１】
2006169663.tif 000013
【図１２】
2006169663.tif 000014
【図１３】
2006169663.tif 000015
【図１４】
2006169663.tif 000016
【図１５】
2006169663.tif 000017
【図１６】
2006169663.tif 000018